(57)【要約】【課題】検査に先行する殺菌作業が不要で、交換作業も容易なサンプルポートを提供する。【解決手段】内部流路１０に達する第一開口穴１３と、第二開口穴１４とが連続形成されたベース部材１と、外周フランジ２２、及び連通穴２０を有して、第一開口穴の内径に固着されるフィット部材２と、定常時に外周フランジ２２に装着されて使用され、突出軸部３１が連通穴２０を閉塞する封止部材３と、検査時に外周フランジ２２に装着されて使用され、突出軸部４１が連通穴２０を閉塞する検査部材４と、封止部材３の装着状態を固定的に保持する耐圧部材５と、を有して構成され、検査部材の突出軸部４１に貫通穴４３が形成され、この貫通穴４３は、検査針の挿入を許容する弾性体によって弾性的に閉塞されている。【選択図】図１
0003177080.tif 000002
【実用新案登録請求の範囲】
【請求項１】
液体が流動する液体流路に直列接続されることで内部流路を形成すると共に、この内部流路に達する第一開口穴と、第一開口穴より大径の第二開口穴とが、内部流路から外方に向けて連続形成されたベース部材と、
円環状の外周フランジ、及び、ベース部材の第一開口穴より小径の連通穴を有して、第一開口穴の内径に、直接又は他の補助部材を介して固着されるフィット部材と、
検査時を除いた定常時に、フィット部材の外周フランジに装着されて使用され、自らの突出軸部が、フィット部材の連通穴を液密に閉塞する封止部材と、
内部流路の液体を検査する検査時に、封止部材に代わってフィット部材の外周フランジに装着されて使用され、自らの突出軸部が、フィット部材の連通穴を液密に閉塞する検査部材と、
フィット部材の外周フランジに封止部材が装着される定常時に使用され、ベース部材の第二開口穴に装着されることで、封止部材の装着状態を固定的に保持する耐圧部材と、を有して構成され、
前記全ての部材が合成樹脂で構成されると共に、検査部材の突出軸部には、内部流路に達する貫通穴が形成され、この貫通穴は、検査針の挿入を許容する弾性体によって弾性的に閉塞されていることを特徴とするサンプルポート。
【請求項２】
フィット部材は、連通穴が軸方向に延びる略円筒状の円筒本体を有して構成され、
円筒本体の基端側に、円環状の外周フランジが形成される一方、円筒本体の先端側の側周面にネジ溝が形成され、
円筒本体の中央側には、径方向外方に延びる固定フランジが形成されている請求項１に記載のサンプルポート。
【請求項３】
封止部材は、基端側に底部を有する有底略円筒形状のキャップ部と、キャップ部の基端側中央部から先端方向に突出する突出軸部と、が一体化されて構成されている請求項１又は２に記載のサンプルポート。
【請求項４】
検査部材は、その突出軸部に貫通穴が形成されていることを除くと、外観形状が、封止部材とほぼ同一に形成されている請求項１〜３の何れかに記載のサンプルポート。
【請求項５】
補助部材は、側周面にネジ溝を形成した大円盤部と、大円盤部から突出して突出基端部にＯリングが巻装された小円盤部とが一体成形されて構成され、大円盤部及び小円盤部を貫通して、フィット部材を受け入れて固着するための固着穴が形成されている請求項１〜４の何れかに記載のサンプルポート。
【請求項６】
フィット部材の先端側が、ベース部材の第一開口穴又は補助部材の固着穴に、限界位置までネジ込まれた固定状態では、フィット部材の固定フランジが、ベース部材又は補助部材に当接している請求項５に記載のサンプルポート。
【請求項７】
耐圧部材は、円柱形状の操作円盤部と、操作部から先端側に突出してＯリングが巻装された突出円盤部とが一体成形されて構成され、突出円盤部の側周面に形成されたネジが、第二開口穴の内面に形成されたネジに螺合するよう構成されている請求項１〜６の何れかに記載のサンプルポート。
【考案の詳細な説明】
【技術分野】
【０００１】
本考案は、透析ラインなどに使用するサンプルポートに関し、特に、検査作業や交換作業が容易で、検査時に雑菌が混入することもないサンプルポートに関するものである。
【背景技術】
【０００２】
透析ラインに流通する透析液を定期的にサンプルングして検査するためのサンプルポートとして、特許文献１に記載の考案が知られている。
【０００３】
特許文献１に記載の考案は、被サンプル体の流通路にほぼ達するように形成された円柱孔に、弾性体を内蔵する装着部材を締めつけて装着し、流通路に達するように、注射針を突き刺して使用するサンプルポートであって、弾性体は、装着部材の軸方向両端に向けて膨出するように構成されており、液溜まりを生じることがない点で特に優れている。
【先行技術文献】
【特許文献】
【０００４】
【特許文献１】特許３１４４７７５号公報
【考案の概要】
【考案が解決しようとする課題】
【０００５】
しかしながら、上記の発明では、弾性体を内蔵する装着部材が、同一のサンプリング点に維持されるので、検査に先行して、アルコール消毒などによって弾性体表面を殺菌する殺菌作業が必要であった。
【０００６】
また、検査作業を繰り返すと、注射針の挿入によって弾性体が劣化するので、所定回数の使用後は、弾性体を装着部材と共に交換する必要があった。
【０００７】
本考案は、上記の問題点に鑑みてなされたものであって、検査に先行する殺菌作業が不要で、交換作業も容易なサンプルポートを提供することを目的とする。
【課題を解決するための手段】
【０００８】
上記の目的を達成するため、本考案に係るサンプルポートは、液体が流動する液体流路に直列接続されることで内部流路を形成すると共に、この内部流路に達する第一開口穴と、第一開口穴より大径の第二開口穴とが、内部流路から外方に向けて連続形成されたベース部材と、円環状の外周フランジ、及び、ベース部材の第一開口穴より小径の連通穴を有して、第一開口穴の内径に、直接又は他の補助部材を介して固着されるフィット部材と、検査時を除いた定常時に、フィット部材の外周フランジに装着されて使用され、自らの突出軸部が、フィット部材の連通穴を液密に閉塞する封止部材と、内部流路の液体を検査する検査時に、封止部材に代わってフィット部材の外周フランジに装着されて使用され、自らの突出軸部が、フィット部材の連通穴を液密に閉塞する検査部材と、フィット部材の外周フランジに封止部材が装着される定常時に使用され、ベース部材の第二開口穴に装着されることで、封止部材の装着状態を固定的に保持する耐圧部材と、を有して構成され、前記全ての部材が合成樹脂で構成されると共に、検査部材の突出軸部には、内部流路に達する貫通穴が形成され、この貫通穴は、検査針の挿入を許容する弾性体によって弾性的に閉塞されている。
【０００９】
本考案では、検査時に、封止部材に代わって検査部材が使用されるので、この検査部材を一個ごとに殺菌状態で包装しておくことができ、検査に先行する殺菌作業が不要となる。また、検査部材や封止部材は、フィット部材の外周フランジに装着される構成を採るので、封止部材の取り外し作業や、検査部材の採り付け作業が容易である。
【００１０】
本考案のフィット部材は、好ましくは、連通穴が軸方向に延びる略円筒状の円筒本体を有して構成され、円筒本体の基端側に、円環状の外周フランジが形成される一方、円筒本体の先端側の側周面にネジ溝が形成され、円筒本体の中央側には、径方向外方に延びる固定フランジが形成されている。
【００１１】
また、本考案の封止部材は、好ましくは、基端側に底部を有する有底略円筒形状のキャップ部と、キャップ部の基端側中央部から先端方向に突出する突出軸部と、が一体化されて構成されている。なお、検査部材は、その突出軸部に貫通穴が形成されていることを除くと、外観形状が、封止部材とほぼ同一に形成されているのが効果的である。
【００１２】
また、補助部材は、側周面にネジ溝を形成した大円盤部と、大円盤部から突出して突出基端部にＯリングが巻装された小円盤部とが一体成形されて構成され、大円盤部及び小円盤部を貫通して、フィット部材を受け入れて固着するための固着穴が形成されているのが好適である。この場合、フィット部材の先端側が、ベース部材の第一開口穴又は補助部材の固着穴に、限界位置までネジ込まれた固定状態では、フィット部材の固定フランジが、ベース部材又は補助部材に当接しているのが好適である。
【００１３】
また、耐圧部材は、円柱形状の操作円盤部と、操作部から先端側に突出してＯリングが巻装された突出円盤部とが一体成形されて構成され、突出円盤部の側周面に形成されたネジが、第二開口穴の内面に形成されたネジに螺合するよう構成されているのが好ましい。
【考案の効果】
【００１４】
上記した本考案によれば、検査に先行する殺菌作業が不要で、交換作業も容易なサンプルポートを実現できる。
【図面の簡単な説明】
【００１５】
【図１】第一実施例のサンプルポートの構成要素を示す斜視図である。
【図２】第一実施例のサンプルポートの構成要素の断面形状を示す図面である。
【図３】第二実施例のサンプルポートの構成要素を示す斜視図と断面図である。
【図４】第二実施例のサンプルポートの構成要素の断面形状を示す図面である。
【図５】サンプルポートの使用位置を説明する図面である。
【図６】変形例を説明する図面である。
【考案を実施するための形態】
【００１６】
以下、実施例について更に詳細に説明する。図１は、第一実施例に係るサンプルポートＰＴについて、その構成要素を図示した斜視図である。また、図２（ａ）は、各構成要素の断面形状を図示したものである。
【００１７】
特に限定されるものではないが、このサンプルポートＰＴは、例えば、図５に示すような透析ラインの適所（Ａ〜Ｇ）に直列接続されて、透析液中のエンドトキシン濃度などを監視する用途で使用される。
【００１８】
図１に示す通り、このサンプルポートＰＴは、検査対象となる透析液（被検査液）が流動する液体流路に直列接続されるベース部材１と、ベース部材１の第一開口穴１３に液密に接着されるフィット部材２と、フィット部材２を覆って第一開口穴１３からの被検査液の流出を阻止する封止部材３と、封止部材３に代えて検査時に使用される検査部材４と、検査時を除いて封止部材３の装着状態を定常的に保持する耐圧部材５と、を有して構成されている。
【００１９】
ここで、ベース部材１、フィット部材２、封止部材３、検査部材４、及び、耐圧部材５は、全て合成樹脂で形成されている。また、封止部材３と検査部材４は、その外観形状が、互いにほぼ同一に形成されている。なお、検査部材４は、殺菌状態で一個ずつ包装されており、一回の検査を終えると廃棄される。
【００２０】
ベース部材１は、直方体形状の合成樹脂ブロックを、図２（ａ）の左右方向に丸穴ＨＯを貫通させることで、被検査液の液体流路に連続する内部流路１０を形成している。そして、丸穴ＨＯの左右には、その内周面にネジ溝を設けた連結部１１，１２が形成され、この連結部１１，１２に流動ラインＬＮを接続することで、被検査液を左右方向に流動させている。
【００２１】
また、ベース部材１には、被検査液の液流に略直交して、第一開口穴１３と第二開口穴１４が連続して同心状に形成されている。図２（ａ）に示す通り、第一開口穴１３と第二開口穴１４の深さは、各々Ｌ１とＬ２であり、第二開口穴１４は、第一開口穴１３より大径に形成されている。そして、各開口穴１３，１４には、その内周面にネジ溝が形成されている。
【００２２】
フィット部材２は、深さＴの連通穴２０が形成された略円筒状の円筒本体２１を有して構成されている。この連通穴２０は、基端側（図示の上側）から先端側に向けて、極めて僅かに開口径が狭くなるテーパ形状となっている。なお、テーパ角は、０．５度以下である。
【００２３】
また、フィット部材２は、その円筒本体２１の基端側に、円環状の外周フランジ２２が形成され、円筒本体２１の先端側には、外周面にネジ溝を設けた螺合部２３が形成されている。また、円筒本体２１から径方向外方に延びる固定フランジ２４が、螺合部２３の基端に連続して形成されている。
【００２４】
ここで、外周フランジ２２は、外径Φで、板厚Ｈの薄いリング形状を有している。一方、固定フランジ２４は、平面視が正六角形の六角ナット状に構成され、外周フランジ２２の外径寸法Φより大きく形成されている。すなわち、正六角形の固定フランジ２４に内接する仮想円の外径Φ’（図２参照）は、外周フランジ２２の外径Φより、適度に大きく設定されている（Φ’＞Φ）。そのため、六角レンチ状の取付器具を使用することで、フィット部材２を、ベース部材１の第一開口穴１３の限界位置まで締め込むことができる。
【００２５】
また、螺合部２３は、第一開口穴１３に対応する外形寸法と、軸方向長さＬ１を有しており、第二開口穴１４に締め込んでベース部材１に接着された状態では、螺合部２３の先端面２３Ａが、内部流路１０の外周面１０Ａとほぼ面一に対応している。したがって、螺合部２３の先端付近に、被検査液が滞留する液溜り領域が形成されることがない。
【００２６】
封止部材３は、キャップ状に形成された外径Φ１で肉厚Ｄの本体部３０と、本体部３０の中央部から先端側に突出する突出軸部３１とで構成されている。ここで、突出軸部３１の突出長さは、フィット部材２の連通穴２０の深さＴとほぼ同一に設定されている。
【００２７】
また、突出軸部３１の外径寸法は、フィット部材２の連通穴２０の内径寸法とほぼ同一に設定され、連通穴２０と同一のテーパ形状となっている。なお、図示の実施例では、本体部３０から突出軸部３１に至る円柱穴が形成されているが、必ずしも必要ではない。
【００２８】
ところで、封止部材３の本体部３０の内周には、フィット部材２の外周フランジ２２（板厚Ｈ）を受け入れるネジ溝が形成されている。そのため、フィット部材２に封止部材３を被せて、封止部材３の本体部３０を回転させると、板厚Ｈの外周フランジ２２が、本体部３０のネジ溝を螺進し、封止部材３を限界位置まで回転させると、封止部材３の突出軸部３１が、同一形状の連通穴２０を完全に液密状態に閉塞することになる。なお、この閉塞状態では、突出軸部３１の先端面３１Ａが、フィット部材２の先端面２３Ａにほぼ一致しており、被検査液が滞留する液溜り領域が形成されることがない（図２（ｃ））。
【００２９】
先に説明した通り、検査部材４は、上記した封止部材３とほぼ同一の外観形状を有している。すなわち、検査部材４も、キャップ状に形成された外径Φ１の本体部４０と、本体部４０の中央部から先端側に突出する突出軸部４１とで構成されている。そして、突出軸部４１の外径寸法や軸方向長さが、フィット部材２の連通穴２０の内径寸法や軸方向長さＴと実質的に同一であること、及び、本体部４０の内周に、フィット部材２の外周フランジ２２（板厚Ｈ）を受け入れるネジ溝が形成されていることにおいて同一である。
【００３０】
但し、検査部材４では、その本体部４０から突出軸部４１の全体を貫通する円柱穴４２が形成されている。そして、この円柱穴４２には、シリコンゴム(silicone rubber) などの弾性体４３が適度な圧縮状態で挿入されている。そのため、弾性体４３に、注射針ＩＮＪを無理なく突き刺して被検査液を抽出することができる。また、この検査時に被検査液が注射針の回りから漏れ出ることもない。
【００３１】
耐圧部材５は、大円盤部５０と小円盤部５１とが連設されて構成され、小円盤部５１から大円盤部５０の途中に至る開口穴５２が形成されている。ここで、開口穴５２の内径は、封止部材３や検査部材４の本体部３０，４０の外径Φ１よりやや大きく形成されている。
【００３２】
また、小円盤部５１の軸方向長さＷ２は、第二開口穴１４の深さＬ２とほぼ同程度に設定され、小円盤部５１の基端には、Ｏリング５３が配置されている。そして、開口穴５２の深さＷ１は、封止部材３や検査部材４の本体部３０，４０の肉厚Ｄと、突出軸部３１，４１の軸方向長さＴと、第一開口穴１３の深さＬ１とに対応して、Ｄ＋Ｔ−Ｌ１にほぼ等しくなるよう、Ｗ１≒Ｄ＋Ｔ−Ｌ１程度に設定されている。
【００３３】
続いて、以上の構成を有するサンプルポートＰＴの使用方法を説明する。先ず、定常時には、図２（ｃ）に示す通り、封止部材３がフィット部材２に装着されると共に、耐圧部材５が、第二開口穴１４に締め込まれる。なお、この状態では、フィット部材２の外周フランジ２２が、封止部材３の本体部３０の内周面を限界位置まで螺進して安定する。
【００３４】
このような定常状態では、封止部材３の突出軸部３１が、フィット部材２の連通穴２０を閉塞するが、連通穴２０及び突出軸部３１には、適度なテーパが対応して形成されているので、連通穴２０は確実に液密に封止される。
【００３５】
しかも、封止部材３の上面は、第二開口穴１４に締め込まれた耐圧部材５によって、押圧されるので、何らかの事情で、内部流路１０の液圧が高まった場合でも、封止部材３がフィット部材２から離脱したり、封止部材３による封止状態が緩んで液漏れが起こるようなことがない。
【００３６】
一方、検査時には、流動ラインＬＮの上流側を適宜に閉鎖することで液流を停止させた上で、耐圧部材５を取り外し、更に、封止部材３を取り外す。そして、封止部材３に代えて、検査部材４を、フィット部材２に装着する（図２（ｂ）参照）。
【００３７】
しかる後、注射針ＩＮＪを検査部材４の円柱穴４２を貫通させて被検査液を抽出する。先に説明した通り、円柱穴４２には、弾性体４３が適度な圧縮状態で挿入されているので、注射針ＩＮＪの挿入に困難はなく、また、液漏れの問題も生じない。
【００３８】
また、検査部材４は、使用開始まで、殺菌状態で包装されているので、被検査液に雑菌が混入するおそれもない。
【００３９】
以上、フィット部材２を、ベース部材１に接着する第一実施例について説明したが、必ずしも、フィット部材２とベース部材１を一体化させる必要はない。
【００４０】
図３は、必要に応じて、ベース部材１の開口穴を開放できる第二実施例のサンプルポートＰＴを説明する図面である。このサンプルポートＰＴでは、ベース部材１、フィット部材２、封止部材３、検査部材４、及び耐圧部材５に加えて、補助部材６を使用している。そして、フィット部材２と補助部材６とを接着により一体化させ、操作部材７を使用して、補助部材６を締め込むか、緩めるかに応じて、ベース部材１の開口穴を任意に開閉可能に構成している。
【００４１】
この実施例では、ベース部材１には、被検査液の液流に略直交して、深さＬ１で小径の第一開口穴１５と、深さＬ２で大径の第二開口穴１６と、が連続して同心状に形成されている。図３に示す通り、第一開口穴１５の内面は平滑であるが、第二開口穴１６の内面には、先端側を除いてネジ溝が形成されている。
【００４２】
補助部材６は、大径の基端円盤部６０と、小径の先端円盤部６１とが連設して構成され、基端円盤部６０と先端円盤部６１を軸方向に貫通して、ネジ穴６２が形成されている。このネジ穴６２は、フィット部材２の螺合部２３を受け入れる部分であり、軸方向長さもほぼ同一に形成されている。
【００４３】
基端円盤部６０の側面には、第二開口穴１６の内面に対応するネジ溝が形成されている。また、基端円盤部６０の基端面には、２つの作業穴６４，６４が形成されている。そして、この作業穴６４，６４に、操作部材７の突出軸７１，７１を挿入して回動操作することで、補助部材６をフィット部材２と共に、第二開口穴１６に締め込むことができるようになっている。なお、操作部材７を逆方向に回動操作すると、補助部材６をフィット部材２と共に取り外すことができる。
【００４４】
先端円盤部６１の軸方向長さは、第一開口穴１５の深さＬ１より、やや長く設定されている。一方、基端円盤部６０と先端円盤部６１の軸方向の全長Ｓは、第一開口穴と第二開口穴の全長Ｌ１＋Ｌ２より十分短く設定されている。そして、先端円盤部６１の基端には、Ｏリング６３が巻装されている。
【００４５】
そのため、補助部材６及びフィット部材２を、第二開口穴１６のネジ溝が途絶える限界位置まで締め込んだ状態では、補助部材６とフィット部材２の先端面６１Ａ，２３Ａがほぼ一致して、内部流路１０の外周面１０Ａとほぼ面一状態となる（図４参照）。また、この状態では、Ｏリング６３が収縮して封止性能を発揮するので、被検査液の液漏れのおそれはない。
【００４６】
その他の構成は、第一実施例の場合と同じであり、封止部材３や検査部材４の突出軸部３１，４１の軸方向長さＴは、フィット部材２の連通穴２０の深さＴと同じである。したがって、定常時及び検査時とも、補助部材６やフィット部材２の下部に液溜りが生じることがない。図４には、補助部材６とフィット部材２と封止部材３の先端面６１Ａ，２３Ａ，３１Ａがほぼ面一状態になることが示されている。
【００４７】
なお、耐圧部材５における小円盤部５１の軸方向長さＷ２は、耐圧部材５を第二開口穴１６に締め込んだ場合に、補助部材６を適度に押圧できる程度の長さに設定されている。また、開口穴５２の深さＷ１は、封止部材３の本体部３０の肉厚Ｄと、突出軸部３１の軸方向長さＴとに対応して、Ｄ＋Ｔ−Ｓにほぼ等しくなるよう、Ｗ１≒Ｄ＋Ｔ−Ｓ程度に設定されている（図４参照）。したがって、Ｗ１＋Ｓ≒Ｄ＋Ｔの関係から、耐圧部材５は、補助部材６と封止部材３の頂面にほぼ接する状態で、各部の装着状態を保持することになる。
【００４８】
したがって、何らかの事情で、内部流路１０の液圧が高まった場合でも、フィット部材２が補助部材６から離脱したり、補助部材６による封止状態が緩んで液漏れが起こるようなことがない。
【００４９】
上記した第二実施例の場合も、検査時の動作は第一実施例と同じであり、封止部材３に代えて、検査部材４をフィット部材２に装着して、被検査液を抽出する。そして、この実施例では、補助部材６とフィット部材２が一体化されて、第二開口穴１６に着脱自在に装着されているので、例えば、フィット部材２が劣化した場合には、これを補助部材６と共に交換することができる。
【００５０】
以上、本考案の実施例について詳細に説明したが、具体的な記載内容は、特に本考案を限定するものではない。例えば、上記の説明では、補助部材６に、丸穴である作業穴６４，６４を設ける旨説明したが、これに代えて、作業溝６４，６４を設けても良い（図３右下欄）。なお、この場合には、操作部材７の突出軸７１，７１についても、作業溝の形状に対応して角形に形成する必要がある。
【００５１】
また、第二実施例の補助部材６は、大径の基端円盤部６０と、小径の先端円盤部６１とが連設させて構成されているが、基端円盤部６０のみで補助部材６を構成してもよい。図６（ｂ）は、第二実施例の変形例を図示したものであり、フィット部材２の螺合部２３を基端円盤部６０から突出させることで、先端円盤部６１の構成を不要にしている。
【００５２】
また、第二実施例では、第一開口穴１５をかなり狭く設定したが、これを第二開口穴１６と同程度まで広く設定することで、補助部材６の形状を簡素化することができる。図６（ｃ）には、第三実施例を図示しており、補助部材６の先端円盤部６１を省略して、基端円盤部６０のみの構成としている。なお、図６（ａ）は、参考のため第一実施例を簡素化して図示したものである。
【符号の説明】
【００５３】
１    ベース部材
１０    内部流路
１３    第一開口穴
１４    第二開口穴
２    フィット部材
２０    連通穴
２２    外周フランジ
３    封止部材
３１    突出軸部
４    検査部材
４１    突出軸部
４３    貫通穴
５      耐圧部材
６    補助部材
ＰＴ      サンプルポート
【図１】
0003177080.tif 000003
【図２】
0003177080.tif 000004
【図３】
0003177080.tif 000005
【図４】
0003177080.tif 000006
【図５】
0003177080.tif 000007
【図６】
0003177080.tif 000008